(57)【要約】      （修正有）【課題】  黒鉛珪石の健康促進効果を目的とした製品は知られているが、生体の損傷部の治癒を積極的に促進するものではなかった。【解決手段】  黒鉛珪石を主成分とする組成物２１を損傷保護ドレッシング材、ギプス、副木、治療用テント又は治療用ボックス等に含有あるいは塗布する。損傷保護ドレッシング材に適用する場合には、損傷部に黒鉛珪石が直接接触しないように、損傷部との接触層は無害の膜などとする。あるいは損傷部をガーゼ等で被覆し、ガーゼを黒鉛珪石を含有した粘着テープ２２などで接着する。これにより、損傷治癒を積極的に促進することができる。【選択図】    図１１
2006271533.tif 000002
【特許請求の範囲】
【請求項１】
黒鉛珪石を主成分とする組成物よりなり、該組成物を生体の損傷部に外用し該損傷部の治癒を促進する治癒促進材料。
【請求項２】
前記損傷部は、機械的損傷部または非機械的損傷部であることを特徴とする請求項１に記載の治癒促進材料。
【請求項３】
前記損傷部は、創傷部、挫傷部、骨折部であることを特徴とする請求項１に記載の治癒促進材料。
【請求項４】
黒鉛珪石を主成分とする組成物よりなり、生体の損傷部またはその近傍に前記組成物を接触させ前記損傷部の治癒を促進する治癒促進材料。
【請求項５】
前記組成物はシート状の接触層であり、該接触層をテープ状の粘着材に接着し、前記接触層により前記損傷部を被覆することを特徴とする請求項４に記載の治癒促進材料。
【請求項６】
前記組成物はテープ状の粘着材であり、該粘着材に前記損傷部との接触層を接着することを特徴とする請求項４に記載の治癒促進材料。
【請求項７】
繊維材料から成り生体の損傷部に外用される治癒促進材料であって、
黒鉛珪石を含有する組成物よりなる内層部と、
前記損傷部の接触層となる外層部と、
を備えたことを特徴とする治癒促進材料。
【請求項８】
前記繊維材料は前記損傷部の被覆が可能な織物材料であることを特徴とする請求項７に記載の治療促進材料。
【請求項９】
前記繊維材料は前記内層部をコアとし前記外層部で周囲を被覆した糸であることを特徴とする請求項７に記載の治療促進材料。
【請求項１０】
生体の一部に接触する固定部を有し、前記生体の損傷部の治療を補助する治癒促進用具であって、
前記固定部が黒鉛珪石を主成分とする組成物により構成されることを特徴とする治癒促進用具。
【請求項１１】
前記固定部は、前記組成物を固定基材に混入または塗布して構成されることを特徴とする請求項１０に記載の治癒促進用具。
【請求項１２】
前記固定部は、前記組成物を含有する繊維材料からなることを特徴とする請求項１０に記載の治癒促進用具。
【請求項１３】
前記損傷部は骨折部であることを特徴とする請求項１０に記載の治癒促進用具。
【請求項１４】
生体の損傷部を非接触で包囲するカバー材を備え、前記損傷部の治癒を促進する治癒促進装置であって、
前記損傷部に対向する前記カバー材の内面に黒鉛珪石を主成分とする組成物が設けられたことを特徴とする治癒促進装置。
【請求項１５】
浮遊性の物質素材に黒鉛珪石を付着あるいは混入し、温水に懸濁させることを特徴とする治癒促進組成物。
【発明の詳細な説明】
【技術分野】
【０００１】
本発明は、治癒促進材料、治癒促進用具、治癒促進装置および治癒促進組成物に係り、特に黒鉛珪石を主成分とする組成物により生体の治癒を促進する治癒促進材料、治癒促進用具、治癒促進装置および治癒促進組成物に関する。
【背景技術】
【０００２】
黒鉛珪石は遠赤外線を放射することが知られ、人体に対する健康促進効果が期待されている。例えば、黒鉛珪石を身体に装着する装身具に加工して健康の増進を図った製品が知られている（例えば特許文献１参照。）。また、黒鉛珪石は鎮静作用も有するとされており、医療分野でも注目を集めている。
【０００３】
ところで、創傷や骨折部位を被覆し治癒を促す材料として、ガーゼ、包帯、テープなどに代表される創傷保護ドレッシング材や、骨折部位を被覆する被覆器材も様々なものが開発されている（例えば特許文献２参照。）。
【特許文献１】特開２００３−１３５１１５号公報
【特許文献２】特表平８−５０６０２８号公報
【発明の開示】
【発明が解決しようとする課題】
【０００４】
特許文献１に記載の装身具は、貴金属装身による精神的効果に加えて健康促進効果を図ることを目的としたものである。従って、創傷など人体の損傷部の治癒を積極的に促進するものではない。
【０００５】
また、特許文献２の如き被覆材料は、創傷を外部から保護または固定することを主目的としている。例えば絆創膏において、細菌の繁殖を防ぐために創傷部に接触する繊維（ガーゼ）に消毒液が塗布されるものは知られているが、外用することにより創傷の治癒をより積極的に促進するものではない。これは、骨折部位を被覆して固定するギプス、副木、コルセットなどの被覆器材についても同様である。
【課題を解決するための手段】
【０００６】
本発明は上述した諸々の事情に鑑み成されたものであり、第１に、黒鉛珪石を主成分とする組成物よりなり、該組成物を生体の損傷部に外用することにより解決するものである。
【０００７】
また、前記損傷部は、機械的損傷部または非機械的損傷部であることを特徴とするものである。
【０００８】
また、前記損傷部は、創傷部、挫傷部、骨折部であることを特徴とするものである。
【０００９】
第２に、黒鉛珪石を主成分とする組成物よりなり、生体の損傷部またはその近傍に前記組成物を接触させることにより解決するものである。
【００１０】
また、前記組成物はシート状の接触層であり、該接触層をテープ状の粘着材に接着し、前記接触層により前記損傷部を被覆することにより解決するものである。
【００１１】
また、前記組成物はテープ状の粘着材であり、該粘着材に前記損傷部との接触層を接着することにより解決するものである。
【００１２】
第３に、繊維材料から成り生体の損傷部に外用される治癒促進材料であって、黒鉛珪石を含有する組成物よりなる内層部と、前記損傷部の接触層となる外層部と、を備えることにより解決するものである。
【００１３】
また、前記繊維材料は前記損傷部の被覆が可能な織物材料であることを特徴とするものである。
【００１４】
また、前記繊維材料は前記内層部をコアとし前記外層部で周囲を被覆した糸であることを特徴とするものである。
【００１５】
第４に、生体の一部に接触する固定部を有し、前記生体の損傷部の治療を補助する治癒促進用具であって、前記固定部を黒鉛珪石を主成分とする組成物により構成することにより解決するものである。
【００１６】
また、前記固定部は、前記組成物を固定基材に混入または塗布して構成することを特徴とするものである。
【００１７】
また、前記固定部は、前記組成物を含有する繊維材料からなることを特徴とするものである。
【００１８】
また、前記損傷部は骨折部であることを特徴とするものである。
【００１９】
第５に、生体の損傷部を非接触で包囲するカバー材を備え、前記損傷部の治癒を促進する治癒促進装置であって、前記損傷部に対向する前記カバー材の内面に黒鉛珪石を主成分とする組成物を設けることにより解決するものである。
【００２０】
第６に、浮遊性の物質素材に黒鉛珪石を付着あるいは混入し、温水に懸濁させることにより解決するものである。
【発明の効果】
【００２１】
本発明によれば以下の効果が得られる。
【００２２】
第１に、黒鉛珪石を主成分とするシート状の接触層を粘着テープ構造の損傷保護ドレッシング材に接着することにより、例えばガーゼ部に黒鉛珪石を含有させた絆創膏を提供できる。絆創膏のガーゼ部には消毒薬が含有されることが一般的であるが、それに加えて黒鉛珪石を含有させることで、より積極的に損傷治癒の促進を図ることができる。
【００２３】
第２に、粘着テープと損傷部の接触層からなる損傷保護ドレッシング材の粘着テープに黒鉛珪石を含有させることで、損傷部位の周囲の細胞に効果的に働きかけ、損傷部位の治癒促進を図ることができる。
【００２４】
第３に、繊維材料の内層部に黒鉛珪石を含有させ、外層部に生体に無害の保護膜を設けることにより、損傷部に直接黒鉛珪石を接触させることなく治癒促進効果を高めることができる。
【００２５】
天然鉱石である黒鉛珪石が例え粉末状であるにせよ、直接創口に接触することは好ましくない。本実施形態によれば、黒鉛珪石を含有する繊維を内層部とし、その表面を生体に無害な膜などの外層部で覆った繊維材料を提供できる。例えばシート状の内層部と外層部を積層することによりガーゼや包帯などの繊維材料が実現できる。
【００２６】
また、内層部をコアとしその表面を外層部で被覆した糸を提供できる。つまり、本実施形態の糸を用いてガーゼや包帯、サポータなどの繊維材料に加工することができる。
【００２７】
更に本実施形態の糸を縫合糸にすることにより、創口の組織の修復を早めることができる。
【００２８】
第４に、固定部に黒鉛珪石を含有した治癒促進用具を提供できる。例えば骨折部を固定するギプスの石膏または副木に黒鉛珪石を含有させる。これにより骨折部の固定のみならずより積極的に骨折の回復に寄与することができる。
【００２９】
第５に、熱傷などの治療を行う治療用テントまたは治療用ボックスの内壁に黒鉛珪石を塗布等することにより、治療用テントまたは治療用ボックスの治療効果に加えて、ダメージを受けた細胞の修復を促進できる。
【００３０】
第６に、入浴剤に黒鉛珪石を含有させることにより、入浴効果に加えて損傷の治癒を助長させることができる。
【発明を実施するための最良の形態】
【００３１】
図１から図１４を参照して本発明の一実施形態を詳細に説明する。
【００３２】
本実施形態の治癒促進材料、治癒促進用具、治癒促進装置、治癒促進組成物は、黒鉛珪石（ブラックシリカ）を主成分とする組成物よりなる。
【００３３】
黒鉛珪石は、海底の珪藻類が長年堆積して鉱石化し、多量の天然ミネラルを多量に含み、遠赤外線、マイナスイオンの輻射を特徴とすることで知られている。これらは、機能低下を来した細胞に対する賦活作用や鎮静作用などとして注目されている。
【００３４】
一方、本出願人は、黒鉛珪石の損傷治癒過程における優位性に着目し、これについて検証した。
【００３５】
まず、黒鉛珪石の損傷治癒過程における優位性についての実験について説明する。実験は、損傷部の一例としてマウスの新鮮創に対して行った。
【００３６】
本実施形態では、天然の黒鉛珪石を素材として作成した黒鉛珪石のシートと、黒鉛珪石を含まないコントロールシートを、マウス新鮮創に接着、被覆し、損傷治癒における経過の比較を、光学顕微鏡および走査型電子顕微鏡を用いて組織形態学的に観察、検討した。
【００３７】
以下、実験材料と実験方法について説明する。
【００３８】
クリーンな実験動物として、成熟したｄｄｙ系マウスオス７匹、メス９匹を使用した。マウスは予め麻酔薬（１０倍滅菌蒸留水希釈  Pentobarbital  sodium注射液）を０．５ｍＬ／ＫｇＢＷで腹腔内投与し、鎮痛化した。麻酔期のマウスは直ちに伏臥位固定し、新鮮創を作成するための除毛を行った。すなわち、背中央部の縦３ｃｍ×横２ｃｍをハサミで剪毛後、除毛クリームを塗布し、１０分間放置した。その後、クリームはぺ一パータオルできれいにふき取り、除毛２日後からのマウスを実験に使用した。
【００３９】
次に、新鮮創の作成のために、除毛時と同様の方法で麻酔と固定を行った後、７０％酒精綿で術野を消毒した。マウス皮膚をピンセットで摘み、脊柱を軸として左右対称に２箇所ずつ、約５ｍｍの長さで、外科用メスを用いて皮膚を切開した。なお、本実験の初期には創口を縫合針と縫合糸を用いて縫合したが、創面が上手く合わせることが不可能であったので、後の実験では縫合は行わなかった。従って、結果の中の一部に縫合を施したものが混じっているが、結果に影響するものではなかった。
【００４０】
そして、新鮮創に供試材を貼付し維持した。供試材は、１０ｍｍ×１０ｍｍの黒鉛珪石シートである。黒鉛珪石シートは、粉末状の黒鉛珪石を溶解した溶液を紙に吹き付け、それをシート状に編んだものである。また、コントロールとして黒鉛珪石シートと同じサイズの黒紙（色画用紙、以下コントロールシート）を準備した。
【００４１】
そして、黒鉛珪石シートとコントロールシートのいずれかを創傷表面部に貼付し、ずれないようにテーピングで固定し、試験期間中維持した。マウスは２０〜２５℃の室温下で、マウス用固形飼料と水の給与によって飼育された。
【００４２】
試験期間が経過したマウスは、直ちに充分量のPentobarbital  sodium注射液を腹腔内に投与後、伏臥位に固定し、創傷部を病理組織切片作成用に摘出した。
【００４３】
次に組織標本用ブロックを作製するため、摘出した組織は直ちに前固定として、２．５％Glutaric  dialdehyde−２％Formaldehyde  in  ０．１Ｍ  Phosphate  buffer  solution（リン酸緩衝液：ＰＢＳ、ｐＨ７．２）で室温において、９０〜１２０分固定した。これを０．１Ｍ  ＰＢＳで１０分づつ３回洗浄し、前固定液を除去した。次いで後固定として、１％  Osmium  tetraoxide  in  ０．１Ｍ  ＰＢＳ（ｐＨ７．２）中で９０分間、室温において固定した。これを１夜、蒸留水で洗浄後、エタノール上昇系列(７０％→８０％→９０％→９９．５→９９．９％→１００％)で各１０分間脱水し、次いでPropylene  oxideに１０分間を３回夫々浸漬し、脱水させた。包埋前処理としての馴化は、３０％  Poly（Bisphenol  A-co-epichlorohydrin：ＥＰＯＮ)  in  Propylene  oxideに一昼夜浸潰した。さらに、５０％  EPON  in  Propylene  oxideに一昼夜浸漬後、容器の蓋を開けてデシケータ内に移し、６時間以上かけてPropylene  oxideを揮発させた。この後、標本組織は包埋用ケースに入れ、１００％  EPONを流し込んだ。さらにPropylene  oxideを完全に飛ばすため、このケースを３７℃に６時間、続いて６０℃に４８時間留置してブロックを完成させた。
【００４４】
その後、光学顕微鏡用のスライド標本を作製した。まず、組織切片の作成は、ミクロトームで４μｍの厚さに切り、トルイジンブルーで染色した。そして、１００％EPONをスライドガラスにのせ、その上からカバーガラスを被せ、６０℃時間以上加温した。
【００４５】
出来上がった光学顕微鏡用スライド標本を、光学顕微鏡で、２００倍及び４００倍で観察、写真撮影を行った。
【００４６】
また、走査型電子顕微鏡用標本を作製し、観察した。すなわち、超薄切片を作成し、これにウラン、鉛による電子二重染色を施した。観察および写真の撮影は、透過型電子顕微鏡（ＴＥＭ）で行った。
【００４７】
以下に、実験結果について説明する。
【００４８】
創傷の治癒過程において一期癒合と呼ばれ、手術創に代表される新鮮で感染がなく、経過がもっともスムーズに進む創傷の治癒機転は、３期に分けて説明されている。
【００４９】
受傷から３日目までが滲出期と言われ、受傷直後は出血が起こり、開放創に血小板の粘着・凝集、フィブリン変換による止血栓の形成、次いで炎症反応が見られ、白血球の遊走が認められる。上皮組織では上皮細胞の増殖が起こり、上皮や粘膜部の欠損は充填され、４８時間以内に痂皮が形成される。
【００５０】
４日目から約２週間目までは増殖期と呼ばれ、血塊中に毛細血管が新生し、線維芽細胞の増殖とコラーゲンが産出して、いわゆる肉芽となる。この間、１週目位に抜糸が行われ、日常生活が可能となる。受傷後２週以降は成熟期といわれ、新生した毛細血管や線維芽細胞が退行して、創面が縮小して瘢痕となる過程である。
【００５１】
一方、この創傷の治癒を阻害する要因には全身性と局所性がある。全身性のものとして、栄養欠乏、酸素欠乏、末梢循環不全、抗炎症剤の使用、細胞分裂の抑制があり、局所的なものには、創ロの乖離、異物・刺激物の存在、細菌感染、血流障害等がある。
【００５２】
出願人は、滲出期が経過する受傷３日後までの組織学的変化について検討した。
【００５３】
図１から図５は、黒鉛珪石の損傷治癒過程における優位性を検証する実験において、受傷前および受傷から３日目までのトルイジンブルー染色による組織標本を２００倍の光学顕微鏡レベルで観察し、創傷全体の治癒経過を比較検討した結果である。
【００５４】
図１が受傷前、図２が受傷２時間後、図３が受傷１日後、図４が受傷２日後、図５が受傷３日後の写真である。
【００５５】
創傷の治癒促進材料としては、前述のコントロールシート（Ｂｌａｃｋ  Ｐａｐｅｒ）と、黒鉛珪石シート（Ｓｉｌｉｃａ  ｂｌａｃｋ）を用いた。尚図２〜図５の各図において（Ａ）がコントロールシートを用いた場合の写真であり、（Ｂ）が黒鉛珪石シートを用いた場合の写真である。また、各写真の上方が表皮であり、下方が皮膚の深部である。
【００５６】
図１において、受傷前の皮膚では、最上部の角化層１、次いで表皮２と最下部には広範囲に真皮３と規則的に配置している像が認められる。また、右上部の表皮２と真皮３の境目付近に円形を呈する毛根４が確認できる。
【００５７】
図２を参照して受傷２時間後について比較する。図２（Ａ）の如く、コントロールシートでは、上部に血塊５が付着した縫合糸６が認められ、創傷７が真皮３まで至っていることが確認できる。しかし内部は少量の血塊５が認められるのみで、殆ど空洞化している。また創傷７の右側は縫合のため表皮２（上皮）がそのまま陥入している。
【００５８】
一方図２（Ｂ）の如く、黒鉛珪石シートを貼付した場合は、シートを剥離することで創傷７の創口が開き、創内は何も見られない空洞となったが、両者に差はないものと考えられた。
【００５９】
図３を参照して、受傷１日後について比較する。この時点ではいずれも痂皮８が形成され、表層部には炎症性細胞９の遊走が認められるけれども、この画像からは両者に顕著な差は認められない。
【００６０】
しかし、図４の如く受傷２日の、コントロールシートでは創傷７内部の空洞が目立つ（図４（Ａ））。一方、黒鉛珪石シートを貼付した場合（図４（Ｂ））は、炎症性細胞９が充満しており、炎症の進行の早いことが伺えた。受傷により炎症を起こした細胞は白血球により殺菌され治癒へ進行する。すなわち空洞であった創傷７内部に炎症性細胞９（すなわち白血球１４）の増加が認められることから炎症が進行していることが判る。炎症の進行が早まることはすなわち治癒までの期間も短縮されるということになる。
【００６１】
図５を参照して、受傷３日後では、コントロールシートでは表皮２は形成されてきているけれども、深部は空洞のままで、創傷７は開放創の状態の継続していることが確認できる（図５（Ａ））。一方、図５（Ｂ）の如く、黒鉛珪石シートを貼付したものでは痂皮８の下部の角化層１および表皮２の乳頭部の形成が認められ、創内深部も線維芽細胞１０およびコラーゲン線維１１と思われる細胞群で殆ど埋め尽くされてきていることから、この時期になると黒鉛珪石シートを使用による顕著な効果として確認できた。
【００６２】
図６および図７は、受傷２時間後と受傷１日後の標本について、光学顕微鏡で４００倍に拡大し、黒鉛珪石シートおよびコントロールシートの貼付による影響について細部を検討した結果を示す。
【００６３】
図６が受傷２時間後の写真であり、図７が受傷１日後の写真である。また、各図（Ａ）がコントロールシートの場合であり、各図（Ｂ）が黒鉛珪石シートの場合である。
【００６４】
図６を参照して受傷２時間後について比較する。図６（Ａ）の如くコントロールシートでは創傷７内深部に血塊５が認められている。一方図６（Ｂ）の如く、黒鉛珪石シートを貼付した場合は皮膚摘出時のシート剥離による創傷７の開放があり、創傷７内部には何も残っていない。
【００６５】
図７の如く受傷１日後では、コントロールシートでは痂皮８が形成された下部に空洞が形成され、少しの炎症性細胞９が認められる（図７（Ａ））。一方黒鉛珪石シートを貼付した場合は、痂皮８の形成された下部にコントロールシートに比べてはるかに多い炎症性細胞９が認められる（図７（Ｂ））。
【００６６】
図８および図９は、受傷３日目の創傷について、創傷表面（創口部）と創傷深部とに分けて、光学顕微鏡で４００倍に拡大し、黒鉛珪石シートを貼付した影響について細部を検討した結果を示す。
【００６７】
図８はコントロールシートの場合であり図８（Ａ）が創口部、図８（Ｂ）が創傷深部の写真である。図９は黒鉛珪石シートの場合であり、図９（Ａ）が創口部、図９（Ｂ）が創傷深部の写真である。
【００６８】
図８の如く、コントロールシートでは、痂皮８が形成された下部で表皮２の形成がなされておるもののそれ以下は空洞化しており、線維芽細胞１０やコラーゲン線維１１の出現も創面に沿って少量が認められるのみで、大半は未だに空洞化している。
【００６９】
一方、図９の如く黒鉛珪石シートを貼付した場合は、角化層１、痂皮８、表皮２の形成が豊かで、乳頭層１２の形成にまで及んでいる。さらに真皮３の部位にあたる創傷７部位には、線維芽細胞１０等の修復系の細胞が多数出現し、ぎっしり埋まった状態を呈している。
【００７０】
図１０は、受傷３日後の線維芽細胞増殖部位の透過型電子顕微鏡による解析の結果である。すなわち、受傷３日後の創傷について、黒鉛珪石シートを貼付した場合による線維芽細胞が多数出現したことを光学顕微鏡によって確認した部位を、透過型電子顕微鏡（ＴＥＭ：transmission  electron  microscopy）により観察した。
【００７１】
これによれば、線維芽細胞１０（Ｆ）が出現している間隙を、コラーゲン線維１１がぎっしりと埋め尽くし、損傷の修復が活発に行われていることが確認できる。
【００７２】
このように、黒鉛珪石は、創傷に対して、生理学的な損傷治癒の経過における反応を促進することが判った。そこで、本実施形態では黒鉛珪石を治癒促進材料、治癒促進用具、治癒促進装置および治癒促進組成物に適用した。
【実施例１】
【００７３】
図１１は、治癒促進材料２０を示す。
【００７４】
治癒促進材料２０は、生体の損傷部またはその近傍に、黒鉛珪石を主成分とする組成物を接触させ治癒を促進するものである。
【００７５】
図１１（Ａ）において、治癒促進材料２０は、シート状の組成物２１と組成物２１が接着するテープ状の粘着材２２よりなり、組成物２１により損傷部を被覆するものである。ここでは、絆創膏を例に説明する。テープ状の粘着材（粘着テープ）２２のほぼ中央に黒鉛珪石を主成分とする組成物２１よりなる接触層が接着している。接触層２１は、シート状であり黒鉛珪石の粉末を付着、含有した例えばガーゼなどの繊維、不織布などである。
【００７６】
図の絆創膏２０は、接触層２１により生体の損傷部を接触させ、粘着テープ２２を損傷部周囲の皮膚に接着させて損傷部を被覆して使用する。これにより、損傷部の治癒を積極的に促進させることができる。
【００７７】
また図１１（Ｂ）は、絆創膏２０の粘着テープを組成物２１で構成したものである。すなわち、絆創膏２０の粘着テープ２１は、ポリウレタン、ハイドロコロイド、アルギン酸、ハイドロジェル、ハイドロポリマー等により構成されており、その中に黒鉛珪石の粉末を含有させる。この粘着テープ２１に接触層となるガーゼ部２５を接着する。この場合ガーゼ部２５は消毒薬等を含有させることができる。
【００７８】
更には図１１（Ｃ）のごとく、ガーゼ２６などを損傷部に固定する粘着テープ２１（サージカルテープ）に黒鉛珪石の粉末を含有させても良い。
【００７９】
図１１（Ｂ）、図１１（Ｃ）の場合は、損傷部の周囲に黒鉛珪石を主成分とする組成物２１が接触するものである。炎症性細胞はその周囲の正常な細胞により炎症が進行し、治癒に至ると考えられることから、損傷部の周囲に本実施形態の治癒促進材料を接触させることにより、損傷部の治癒をより積極的に促進できる。
【００８０】
また、図１１（Ｄ）は含水性ゲルに黒鉛珪石の粉末を含有させた組成物２１の表面に粘着性を持たせたシート２８である。このシート２８を損傷部やその周囲に接触させることにより、損傷部の組織の修復を早めると共に、損傷部の保護にも効果的に働く。
【００８１】
更に含水性ゲルに吸熱材等を含有させてもよく、発熱する損傷部を冷却し、鎮痛効果も図ることができる。
【実施例２】
【００８２】
図１２および図１３は、治癒促進材料３０、４０を示す図である。
【００８３】
図１２の如く、治癒促進材料３０は例えばガーゼ、包帯など繊維材料よりなる損傷保護ドレッシング材である。図１２（Ａ）は平面図であり図１２（Ｂ）は図１２（Ａ）のａ−ａ線の断面図である。
【００８４】
損傷保護ドレッシング材３０は、内層部３１に外層部３２を積層した構造である。内層部３１は黒鉛珪石の粉末を塗布または含有させた繊維（織物）材料である。外層部３２は例えばポリウレタン、ハイドロコロイドなどの生体に無害な膜であり、この外層部３２が生体の損傷部との接触層となる。これにより、損傷部に直接黒鉛珪石を接触させることなく治癒促進効果を高めることができる。
【００８５】
天然鉱石である黒鉛珪石が例え粉末状であるにせよ、直接創口に接触することは好ましくない。本実施形態によれば、例えば繊維材料の内層部３１と外層部３２を積層することによりガーゼや包帯などの損傷保護ドレッシング材３０が実現できる。また、サポータ、靴下などにも適用できる。
【００８６】
尚、図では内層部３１の表裏面に外層部３２を設けてあるが、外層部３２は少なくとも損傷部との接触層となる表面または裏面のいずれか一方にあればよい。
【００８７】
図１３は、他の損傷治癒材料４０の図である。図１３（Ａ）は外観図であり図１３（Ｂ）は図１３（Ａ）のｂ−ｂ線断面図である。すなわち、損傷治癒材料４０は、内層部３１をコアとしその表面を外層部３２で被覆した糸４０である。この糸４０によりガーゼや包帯、サポータなどの繊維材料を形成しても、積極的な治癒促進効果を得ることができる。
【００８８】
また、図の糸４０を用いて形成した繊維材料を図１１（Ａ）の接触層２１としてもよい。
【００８９】
更に本実施例の糸４０を縫合糸にすることにより、創口の組織の修復を早めることができる。また、患者用シーツや枕カバーなどを糸４０による繊維で構成してもよい。
【実施例３】
【００９０】
黒鉛珪石の組成物によって、生体の一部に接触する固定部を有し、生体の損傷部の治療を補助する治癒促進用具も実現できる。
【００９１】
治癒促進用具は、例えば骨折部を固定するギプスや、副木である。ギプスの場合、例えば石膏に黒鉛珪石の粉末を混入させる。また副木の場合表面に黒鉛珪石の粉末を付着するか、あるいはポリウレタン、ハイドロコロイド、アルギン酸、ハイドロジェル、ハイドロポリマー等に含有させて塗布する。
【００９２】
上記の実験において、皮膚の形成について、受傷１−２日目で痂皮の形成が速く、しっかりしている点、白血球の遊走が多く、局所の炎症反応を早めている点を確認し、また３日目で、線維芽細として確かめている。骨折も生体の修復系の反応であるため、黒鉛珪石の組成物により骨折部を固定することにより、同様の効果が有ると推測できる。
【実施例４】
【００９３】
図１４は、治癒促進装置５０を示す外観図である。黒鉛珪石の組成物は、寝たきりの治療、長期間、広範囲の治療の際に用いる治癒促進装置５０にも適用できる。例えば熱傷等の治療用テント、治療用ボックス等である。
【００９４】
治癒促進装置５０は、生体の損傷部を非接触で包囲するカバー材５１を備える。そして、カバー材５１の内面に黒鉛珪石を主成分とする組成物５２を塗布等する。組成物５２は接着剤等に含有されて塗布されるか、あるいは紙などのシート状に加工されて内面に貼付される。
【００９５】
カバー材５１は全身を覆う大きさでも良いし、例えば腕や足等部分的に覆う大きさでも良い。
【００９６】
また、浮遊性の物質素材に黒鉛珪石を付着あるいは混入し、温水に懸濁させる入浴剤に適用しても良い。入浴効果と治癒促進効果を兼ね備えることができる。
【００９７】
以上、具体的な実施例を示したが、一般的に創傷の速やかな治癒を促すため、損傷部は損傷保護ドレッシング材を用いて被覆される。その用材としては包帯、ガーゼ、油紙、絆創膏、テープのほか、最近ではサージカルドレッシングと言われるフィルム材やハイドロコロイド材、アルギン酸塩等の被覆機能を持つ素材も商品化され、活用されている。これらの創傷の被覆材料以外に、損傷や骨折を被覆する器材としては副木、ギプス、コルセット、サポーター、固定用装具、ソックスなどがある。
【００９８】
これらの製品に、本実施形態の如く損傷の治癒を積極的に促進させる治癒促進材料が適用されれば、損傷の治療期間を単に短縮できるだけでなく、難治性の症例や慢性化した症例の治療効果をも期待できる。
【産業上の利用可能性】
【００９９】
損傷部の治癒を促進するものであって、損傷部を被覆・保護する包帯、ガーゼ、油紙、絆創膏、テープのほか、サージカルドレッシング、ハイドロコロイド材、アルギン酸塩等の被覆機能を持つ素材に適用可能である。また、損傷や骨折を被覆する器材として副木、ギプス、コルセット、サポーター、固定用装具、ソックスなどに利用できる。
【０１００】
更に患者用シーツやテント、治療用の全身回復ボックス、天然素材や合成樹脂等でできた膜やゲルなどに混入させたもの、入浴剤にも適用可能であり、応用性は広範なものに展開可能である。
【図面の簡単な説明】
【０１０１】
【図１】黒鉛珪石の損傷治癒過程における優位性を検証した実験において、受傷前の組織標本を示す写真である。
【図２】黒鉛珪石の損傷治癒過程における優位性を検証した実験において、受傷２時間後の組織学的変化を示した写真である。
【図３】黒鉛珪石の損傷治癒過程における優位性を検証した実験において、受傷１日後の組織学的変化を示した写真である。
【図４】黒鉛珪石の損傷治癒過程における優位性を検証した実験において、受傷２日後の組織学的変化を示した写真である。
【図５】黒鉛珪石の損傷治癒過程における優位性を検証した実験において、受傷３日後の組織学的変化を示した写真である。
【図６】黒鉛珪石の損傷治癒過程における優位性を検証した実験において、受傷２時間後の組織学的変化について示した写真である。
【図７】黒鉛珪石の損傷治癒過程における優位性を検証した実験において、受傷１時間後の組織学的変化について示した写真である。
【図８】受傷３日後のコントロールシートの貼付による、創傷表面と創傷深部の組織学的変化について示した写真である。
【図９】受傷３日後の黒鉛珪石シートの貼付による、創傷表面と創傷深部の組織学的変化について示した写真である。
【図１０】受傷３日後の線維芽細胞増殖部位の透過型電子顕微鏡による解析の結果である。
【図１１】本発明の実施例を示す平面図である。
【図１２】本発明の実施例を示す（Ａ）平面図、（Ｂ）断面図である。
【図１３】本発明の実施例を示す（Ａ）外観図、（Ｂ）断面図である。
【図１４】本発明の実施例を示す外観図である。
【符号の説明】
【０１０２】
１        角化層
２        表皮
３        真皮
４        毛根
５        血塊
６        縫合糸
７        創傷        
８        痂皮
９        炎症性細胞
１０      線維芽細胞
１１      コラーゲン線維
１４      白血球
２０、３０、４０      治癒促進材料
２１      組成物
２２      粘着材
２５      ガーゼ部
２６      ガーゼ
２８      シート
３１      内層部
３２      外層部
５０      治癒促進装置
５１      カバー材
５２      組成物
【図１１】
2006271533.tif 000003
【図１２】
2006271533.tif 000004
【図１３】
2006271533.tif 000005
【図１４】
2006271533.tif 000006
【図１】
2006271533.tif 000007
【図２】
2006271533.tif 000008
【図３】
2006271533.tif 000009
【図４】
2006271533.tif 000010
【図５】
2006271533.tif 000011
【図６】
2006271533.tif 000012
【図７】
2006271533.tif 000013
【図８】
2006271533.tif 000014
【図９】
2006271533.tif 000015
【図１０】
2006271533.tif 000016